(57)【要約】【課題】和服を着用時に和服の衿元から衿山線部分が見える和装下着において、衿の形状が衿の背中心から衿先に向かって衿幅が広くなっているバチ衿型形状であるので、半襟と衿裏の隙間に細くて均一幅の従来の衿芯を挿入しても、衿山線上から幅移動してずれ、それによって衿山線上部分にシワやタルミが生じて着崩れをおこし、美しい衿元が継続できなかった。【解決手段】和服を着用時、和服の衿元から衿山線上部分が見える和装下着の衿の地衿と半衿の隙間に左右の衿先方向から挿入して使用し、それぞれの先入部分が背中心を通過して、衿肩まわり付近で重なり合い2重構造となることで衿芯自体が補強でき、又、和装下着の衿型であるバチ衿型形状であるので、衿山線上部分からの巾移動がなく、シワやタルミを生じず、張りのある美しい衿山線上部分を継続して形成でき、又、全体に適度な硬さを保持しているので、美しい衿合わせの維持が可能になるバチ衿型形状の2枚組みの衿芯を開発した。【選択図】図4
2010106417.tif 000002
【特許請求の範囲】
【請求項１】
和服を着用時に、和服の衿元から衿山線上部分が見える和装下着において、その地衿の表
裏両側に長手方向を２つ折りした帯状の地衿カバーを重ねて掛け、衿として形成し、地衿
と地衿カバーとの隙間は表裏両側共に衿芯を挿入する専用の部分とした衿であって、前記
地衿カバーの裏側は、衿の衿山から衿山線に沿って長手方向に均一の幅で区切られている
事を特徴とする和装下着の衿。
【請求項２】
請求項１における均一の幅が和装下着の背中心での衿巾寸法であることを特徴とする和装
下着の衿。
【請求項３】
和服を着用時に、和服の衿元から衿山線上部分が見える和装下着において、その地衿の表
裏両側に長手方向を２つ折りにした帯状の地衿カバーを重ねて掛け、衿として形成し、地
衿と地衿カバーとの隙間は裏表両側共に、衿芯を挿入する専用の部分とした衿であって、
前記地衿は背中心から長手方向の衿先に向かって衿幅が広くなる形状のバチ衿と称される
衿型であり、前記地衿カバーの表側は地衿と同型のバチ衿型の形状であることを特徴とする和装下着の衿。
【請求項４】
和服を着用時に、和服の衿元から衿山線上部分が見える和装下着において、着用者の胴部
に巻かれる為の紐体が、左右の各衿先に設けられ、前記紐体は衿の左右の衿先部分の衿納
め線から衿幅を横切り、衿山までに至る間は衿に逢着されていることを特徴とする和装下
着の衿。
【請求項５】
和装下着の衿型であるバチ衿型形状の２枚組からなり、それぞれの先入部分が衿の背中心
を通過し、相対する衿肩まわりで重なり合い２重構造となることを特徴とする和装下着の
衿芯。
【請求項６】
請求項６の衿芯において、片側が和装下着の背中心の衿幅に挿入することができる背中心
の衿幅であり、もう一方側は地衿と地衿カバーに挿入することができる最大の幅であることを特徴とする衿と同型であるバチ衿型形状の２枚組の衿芯。
【発明の詳細な説明】
【技術分野】
【０００１】
本発明は、和服を着用時に使用される和装下着に関し、詳細にはこの和装下着における衿
と衿芯に関する
【背景技術】
【０００２】
従来の和装下着の衿は、和装下着の衿の長手方向に２つ折りした半衿を表裏両側に掛け、
衿の裏側と半衿との隙間に堅目のプラスチック製等の一本の長くて均一の幅の細い衿芯を
挿入し、衿を補強する事により和装下着の衿山線上部分に張りをもたせ、美しい衿元を継
続させるように形成されている。又、背面には衿の背中心部分から衿紋抜き布が逢着され、
衿紋が抜かれた状態を保持するように形成されている。
【０００３】
しかしながら、和装下着の衿は背中心から長手方向の衿先に向かって、衿幅が広くなる形
状のバチ衿と称される衿型であるから、衿肩まわり間は衿芯と衿幅がほぼ同寸法なので挿
入した衿芯は衿の衿山線上部分に密着するが、衿に掛ける半衿は、おしゃれだけでなく衿
の汚れ防止の目的も有し、掛けてあるので、衿全面を最大限に多い隠す形式をとってある。
従って半衿の幅は衿先に向かって広くなっており、半衿の中で衿芯が幅移動をする遊び
があるので衿山線上部分からの衿芯のずれが生じ、張りのある美しい下着の衿が保持でき
ず、柔らかくたるんでシワが生じ、着崩れるという問題があった。
【０００４】
その上、従来の衿芯は衿に掛けた半衿と衿裏側との隙間に一方の衿先方向から挿入し、左
右対称の長さに固定されるのだが、衿の幅の一番狭い背中心を通過する為に、衿芯幅は衿
の背中心に挿入出来る背中心の衿幅で均一である。このことが、衿芯が衿の衿山線上部分
からずれる最大の要因となっている。
【０００５】
又、衿紋抜きの状態も時間の経過と共に、日常動作による着崩れが生じ、従来の長襦袢の
背中心部分に設けられている衿紋抜き布を頻繁に下方に引き下げて、衿紋抜きを抜き直す
という手間がかかる上に、確実に保持させるのであれば、着付け時に、衿紋抜きに挿通し
た紐で、衿紋抜きを下方向に引き下げつつ、胴体を横切り、衿合わせをした後に、体の前
で、きつく締めて結び、紐が上下に移動して緩まないようにするしかなく、その上、胴
回りには着崩れ防止の確実性を求めて紐や細帯、クリップ付ベルト等が何重にも巻かれて
おり、このことが着物は苦しくて着にくいと思われる最大の原因となっている。  
【０００６】
又、和服の構造は洋服と違い体の線や動きを余り考慮してないので、その大部分において
直線で縫い、平面で構成されており、日常動作には適してないので着崩れ易い。そして、
和装下着においては着用中、頻繁に体の前の衿合わせと、後ろの衿紋抜きの修正を繰り返
すのだが、上に着物を重ね、さらに上から帯を巻きつけ固定して、土台として下に着ている和装下着の着崩れを直すことは不可能に等しい。しかも和装で着崩れが一番起こりやすく、目立つのも衿合わせや、衿紋抜き等の衿周辺である。
【０００７】
このような問題を解決する為に、和装姿の土台ともなる和装下着の衿を張りのある美しい
衿元にし、確実な衿合わせが継続できて、衿紋抜きを保持し、着崩れにくい和装下着の衿
にする考案がなされてきた。例えば特許文献１の簡易着付け長襦洋、特許文献２の和装用
下着、特許文３の襦袢及び衿保型材、特許文献４の衿芯などがある。
【特許文献１】実開２００２−２８５４０２    簡易着付け長襦洋
【特許文献２】特許第３０１０５３０号        和装用下着
【特許文献３】特開２００１−１８１９０２    襦袢及び」衿保型材
【特許文献４】実開昭５１−１３８２２１      衿芯
【０００８】
特許文献１には、衿の内部に衿芯を差し込む衿芯収納袋を設け、長襦袢の衿山に当たる所に縫着して、衿と衿芯との遊びがない状態で安定させ衿芯を着脱自在に差し込めることを特徴とした衿構造が開示されている。特許文献２には、補正下着の衿に共衿を掛け衿裏との隙間に衿芯を挿入させ固定することで美しい衿合わせと衿抜きを作る事ができると開示されている。特許文献３は、背中心の衿まわり部分にベルト等を通す為の輪を設け、ゴムベルトを通し、左右に引き分け、衿まわり部分を下に」引き下げ、衿紋抜きを保持する発明が開示されている。特許文献４は、衿芯自体の強度を補強し、和装下着の衿を美くしくする衿芯が開示されている。
【発明の開示】
【発明が解決しようとする課題】
【０００９】
しかしながら、特許文献１は、衿芯収納袋自体を作る手間がかかる上に衿の内部の衿山線
上に縫着する事は非常に難しい作業であり、衿芯の出し入れも、窮屈で無理があり、一定
以上の硬さの衿芯でないと挿入出来ないので、無理な発明である。特許文献２は、衿芯を
挿入する衿型は肌襦袢に使用される均一幅の棒衿と呼ばれる形状であり、衿芯を挿入して
完成した衿が和服着用時に和服の衿元から表に見える事はなく、あくまで補正下着である
ので、意味をなさない。特許文権３は、ベルトを通す輪を設ける位置と場所が、従来の衿紋
抜きと変わらない設定であり、その上、ゴムベルトで左右に分け、斜め下に引き下げる形
状では、ダーツ状の大きいシワを後身頃に沢山作ってしまう。和装下着の着付け方法では、
体や上に着用する和服にシワが響かない様に和装下着に余分なシワを作らない事が、求められているので、避けなくてはいけない状態をわざわざ作る事になる。
【００１０】
本発明は前記のような課題に鑑み、その課題を解決すべく創案されたものであって、その
目的とするところは和服を着用時に和服の衿元からの衿山線上部分が見える和装下着において、その衿に挿入した衿芯が衿山線上からズレを生じず、固定されることにより補強で
き、衿山線上部分に適度な堅さを有して、シワやタルミのない美しい張りのある形状が継
続できる衿に改良し、又、衿紋抜きを確実に保持する為に従来の衿紋抜きを補強する方法
を新たに開発し、その上、衿合わせが簡単に確実に固定できる着崩れにくい和装下着の衿を提供し、さらに従来の和装下着の衿構造であっても、又、通常の衿芯を利用する場合で
も本発明と同様の美しい衿の形状が得られる事を目的としている。
【課題を解決するための手段】
【００１１】
本発明は、和服を着用時に和服の衿元から衿山線上部分が見える和装下着において、その
地衿の表裏両側に長手方向を２つ折りした帯状の地衿カバーを重ねて掛け、衿として形成
し、地衿と地衿カバーとの隙間は表裏両側共に衿芯を挿入する専用の部分とし、また衿先
部分に逢着した紐を設け、さらに、従来の衿紋抜き布だけでなく、衿紋抜きを保持する専
用の紐を挿通する為のループを設けていることを特徴とする和装下着の衿に改良すること
により、前記課題を解決したものである。その上、従来の衿芯の形状を画期的に変えることにより、本発明の衿のみならず従来の衿にも対応が可能になり、前記課題を解決したも
のである。
【００１２】
以上の説明から明らかなように、本発明にあっては次に上げるような効果が得られる。
【００１３】
和服を着用時に和服の衿元から衿山線上部分が見える和装下着において、その地衿の表裏
両側に長手方向を２つ折りした帯状の地衿カバーを重ねて掛け、衿として形成し、地衿と
地衿カバーとの隙間は表裏両側共に衿芯を挿入する専用の部分とした衿である。前記地衿
カバーの裏側は衿の衿山から衿山線に沿って長手方向に均一の幅でくぎられているので、
従来の均一幅で細くて長い一枚の衿芯を挿入しても、衿芯が衿の衿山線からずれないので、
シワやタルミが生じない。故に衿の衿山線上部は美しい張りと適度な硬さを有しており
美しい衿を継続できる。
【００１４】
また、従来の半衿の掛け方は衿の裏側と半衿の隙間に衿芯を入れる為に、衿の裏側の半衿
幅は最小でも衿芯幅を必要とされていた。それにより洗濯の度に意識して掛け直しても、
半衿の同じ部分にばかり集中して汚れが付き、和服の衿から見えない所にずらす事が困難
であった。又、近年多くなって来ている刺繍やポイント柄等のおしゃれな半衿も同様に同
じ模様ばかりが見えるという掛け方しか出来なかったが、この発明により半衿を掛けてな
くても、衿芯を固定する事が可能なので、今まで使用してなかった新たな面を出すことで
新しい半衿として再利用する事が可能になった。つまり、半衿に求められていた従来の規
定寸法も素材としての適姓も必要ないので多種多様な好みの物を半衿として使用でき選択
肢が広がり、和装文化への需要が高まるという効果がある。
【００１５】
しかも毎回洗濯の度に半衿を縫いつけるのは熟練したプロの和裁士ではなく、一般の人が
悪戦苦闘しながら縫うのだが、半衿付けの手間と出来映えを憂慮しなくても衿芯は、本発
明の地衿と地衿カバーとの隙間に確実に固定されるので、手軽に新しいおしゃれを楽しむ
事が出来るという効果がある。
【００１６】
その上、衿先の衿幅間に渡って逢着されている紐は、上から押さえるだけでなく、衿本体
にしっかり逢着してあり、衿合わせをした後に上下左右にズレない。従来の和装下着を着
用時に必要な、衿合わせ用の腰紐と衿合わせ固定用の先にクリップの付いた着付け用具を、
使用しないで済むだけでなく、両方使用時より衿合わせが確実に、美しく、継続性を持って出来るので、簡単である。つまり本発明の和装下着の衿は首のくぼみ上で交差させ、
交差角度が一番美しいとされる左右対称の６５度〜９０度に一度合わせると、着付け時は
もちろん着用中に崩れることがない。和装下着の衿は和装着用時に着付けの土台ともなる
部分であり顔の一番近くにあるので、着姿の要ともなる部分であるから、着付ける時には
衿合わせに慎重になり、どうしても着付けに多大な時間を要していた。しかし、この衿で
あれば衿合わせが簡単な上に、確実に保持出来るので、従来の半分の時間で着用が可能と
なり、大幅に着付け時間を短縮する効果がある。
【００１７】
又、従来は衿紋抜きの保持のために、衿紋抜き布に腰紐を挿通した時に、下方に引き下げ
つつ、胴回りを通過させ、体の前で緩まないように、きつく結び固定する方法しか、無かったが、本発明は従来の衿紋抜き布と別に、衿紋抜き固定紐を挿通させループを背中心表
衿付け線上に設け、紐を挿通させた後、紐の中心で左右に振り分け、それぞれの袖付け下
を通過して前身頃で結ぶ事で、衿だけで衿紋抜きを確実に保持し、日常生活上の動きで、
衿紋抜きの状態が変化することは無い。したがって、和服着用中に頻繁に鏡を見て着姿を
確認する微調整の必要がなく、着付け方法を習得してからの熟練度には全く関係なく初心
者であっても、又、着付け方法を知らずに第３者に着付けてもらった人でも、通常の生活
動作で一日中着用していても着崩れないという効果がある。
【００１８】
又、本発明の衿芯は、和装下着の衿と同型のバチ衿型形状の２枚組の衿芯であるので従来
の和装下着の衿構造であっても、衿に掛けてある半衿をそのまま利用して衿と半衿との隙
間に簡単に挿入できる。したがって、すでに何度も着用済みで着古した和装下着でも、本
発明の衿芯を使用するだけで新品同様の美しい張りのある和装下着の衿元を作る事ができ
る効果がある。
【００１９】
さらに、本発明の地衿カバーの表側と地衿との隙間にバチ衿型形状の２枚組の衿芯を挿入
すると、従来の衿と半衿の隙間に使用する時と比べてゆるみや遊びがないので、衿の衿山
線のみならず、衿全体が適度な堅さを有していて美しい衿型を継続できる。
【００２０】
又、和服着用時には衿元や衿紋抜きの着崩れを直す度に、従来、和装下着の衿の背中心に
有している衿紋抜き布を頻繁に引き下げて、衿紋抜きを保持しなければならない。その為
に衿芯の衿肩まわりには付加がかかるので、従来の衿芯にも衿肩まわりを二重組織で補強
した衿芯が考案されているが、本発明のバチ衿型形状の２枚組の衿芯はその構造上、無理
なく衿肩まわりを補強できる効果がある。
【００２１】
つまり、本発明の衿と衿芯は早くて簡単に、着崩れにくい和装下着の着付けを提供出来る。
【発明を実施するための最良の形態】
【００２２】
本発明の衿とは、和服を着用時に和服の衿元から衿山線上部分の見える和装下着において、
半衿を掛ける前の衿とする。
【００２３】
衿の構造としては、地衿の表裏両側に長手方向を２つ折りにした帯状の地衿カバーを重ねて掛け、２枚が衿として一体形成されるのが良いので、地衿と地衿カバーは同じ素材であるほうが、２枚間の違和感がなく体の動きに適応出来て添いやすく、加工における扱いも簡単で好ましい。
【００２４】
材質としては、厚手の物であると、衿として２枚重ねで出来上がった状態に衿芯を挿入すると、より厚みが増して衿と身体の段差が大きくなり着崩れる原因となり、衿に沿って身体側に段差を埋める為の補整として、綿花等が何重にも重ねて使用される事になる。又、特別の形状の補整下着を着用する手間がかかるので、従来の衿用布に使用される物の中で薄手である物が好ましい。その上、２枚の隙間には少し堅目の衿芯剤が挿入されるので耐久性のある綿ブロートや綿パレスもしくは化織のポリエステルやレーヨン、ナイロン等でも良い。
【００２５】
上記にも述べた様に地衿と地衿カバーは２枚の一体感が求められるので地衿を身頃に縫着
して形成し、仕上がった後に地衿カバーを掛けるという従来の半衿掛けと同じ手段では一
体形成がなし得ないので、地衿用布と地衿カバー用布の２枚を重ね合わせた後に見頃と縫
着し、衿として形成する方法が好ましい。
【００２６】
又、衿の裏側は地衿と地衿カバーの隙間に従来の衿芯が挿入される専用の部分となるので、衿山線に沿って従来の衿芯が挿入可能な4.5cm〜6.0cm、より好ましくは、5cm〜5.5cmの
均一な幅での区切り線が設けられる形状である。まず、地衿用布と地衿カバー用布を２枚
重ねし、身頃に縫着する前に仮の衿型を形成し、その衿山線に沿って、衿山から均一の幅
で地衿と地衿カバーの２枚を区切り線上において、手縫い又はミシン等で縫い合わすのが
好ましい。また、地衿の衿山線上と地衿カバーの衿山線上を合わせて衿山線を確定し逢着
も出来るが、衿山を確定する必要はないので、本発明の方法が簡単で綺麗に出来る。
【００２７】
又、別の方法として、地衿の衿山線上を沿うように、地衿カバー用布を縫着し、その位置
から地衿裏側に均一の幅で衿芯挿入用に地衿カバーを縫着する事も可能だが、それぞれ縫
い代の始末も困難であり、又、出来上がりの衿に余分な縫い代の厚身が加わる上に、出来
映えを考慮しても前記の方法が最適である。
【００２８】
地衿用布と地衿カバー用布を重ね合わせる時の最良の形態としては、地衿と地衿カバーの
隙間に衿芯が挿入される時に挿入がスムーズに行われる事や、薄手であっても衿芯の厚み
があり、又、本発明のバチ衿型形状２枚組の衿芯は衿肩まわりで２枚が重なる２重構造と
なるので衿芯の厚みを考慮するのは必要である。したがって地衿の衿山線と地衿カバー衿
山線には0.1cm〜0.3cmの差を作り、この部分が衿芯の挿入容量となる。
【００２９】
そして、衿の地衿表側と地衿カバー表側の隙間は本発明バチ衿型形状２枚組衿芯を挿入する部分になっている。又、和装下着の衿として形成された衿の衿芯挿入出入り口となる地
衿カバーが、半衿からはみ出しているのは美しくないので、衿中心からの地衿カバー出来
上がり丈は、従来の半衿丈より4cm〜7cm短い40cm〜48cmとするのが好ましい。そして衿の
衿山と衿芯挿入出入り口の先端とは0.5cm〜2cm逢着しておくと衿芯が挿入し易い。
【００３０】
又、左右それぞれの衿先に逢着した衿紐は、着用者の胴部に巻き、衿合わせを固定し  、
胴部の背面部では従来の衿紋抜きに挿通して衿紋抜きを保持する重要な役目がある、しか
し、衿紐の一部分だけを逢着しても、便利なだけで確実に衿本体を固定出来ず、余分にク
リップが先端に付いた着付け用具などを使用する必要がある。しかし、衿を確実に衿合わせして、継続させるためには、衿先の衿納め線を納める時に一緒に衿紐を逢着し、そこか
ら衿幅を横切り裏衿の衿山までを、しっかり衿本体に逢着する。こうすることで、衿紐が
胴回りを上下左右に移動せず、不安定な衿合わせにならない。又、衿合わせ後の衿紐を胴
回りで、きつく結ばなくても衿合わせが崩れないので楽である。
【００３１】
前記、衿紐は胴回りの背面部で、従来から設けられている衿紋抜き布に挿通させ、衿紋抜
きの役目も兼ねているが、従来の腰紐を使用するよりは確実に衿紋抜きも保持できる。つまり衿紐は衿本体に直接逢着されているので安定しており、したがって背面部の衿も衿紋
抜き布を介せず、直接に紐で固できれば尚、確実である。故に表衿付け線上の背中心にループを設け、衿紋抜き固定紐を挿通させ、丈の中心を左右に振り分ける。そして、それぞれの袖付け下に向かって、斜め下の方向に引き下げ、袖付け下を通過して体の前で結ぶ。
このように斜め方向に固定すると、日常動作に左右されず、一日中着ていても着崩れないだけでなく、和服着用時には着崩れ防止に背筋を伸ばし、緊張した姿勢を求められるが、
普通に楽な姿勢で過ごせるので快適である。
【００３２】
又、衿紋抜き用布は、幅が5cm〜10cmとし、その幅の中心は後ろ身頃の表衿付け線上の背
中心に重なる。用布としては、従来から用いられている衿紋抜き布や衿用布と同質で良い
が、上に着る着物が薄物や薄色だと、衿付け線から背縫いに沿って、和服の表に衿紋抜き
用布が透けて見えるので、夏物は特に和装下着と共布が良い。そして、出来上りの衿紋抜
き用布丈は和服を着用時に、着物の裾から下に引き下げて、補正することを前提とすると
、5cn〜50cmが好ましく、従来市販されているものは45cm〜55cmが多く、身長に合わせて
余分は切り取り使用する。衿付け線上から設けられた腰紐を挿入する紐通しの位置は、下
位置過ぎると用をなさないので、表衿付け線から14cm〜22cm迄に設定するのが良いが、16
cm〜20cmがよりも良い。
【００３３】
そして、長襦袢の背中心に衿紋抜き布中心を重ね、その上の表衿付け線上の背中心に衿紋
抜き固定ループを逢着する。幅は0.5cm〜1cm、長さ5cm〜8cmとし、挿通し易くしかも耐久
性のある紐状布で形成し、衿紋抜き用布の共布で作ると、目立たないので違和感が無く、
上に着用した和服の上からも透けないので良い。又、本発明の衿紐と、衿紋抜き固定紐は
長襦袢本体と同じ生地もしくは綿ブロード、ポリエステル等の締めやすく、扱いやすい生
地が良い。色は上に着用する和服に透ける事を考慮して長襦袢と同じか、衿紋抜き布と同じが望ましい。衿紐丈はそれぞれが80cm〜110cmとし、より90cm〜100cmが望ましい、又、
衿紋抜き固定紐丈は160cm〜220cmもしくは170cm〜210cmが良く、180cm〜200cmがより良い。
【００３４】
そして、本発明のバチ衿型形状２枚組衿芯を衿の表側地衿カバーに挿入した時に、バチ衿
型２枚組衿芯は衿と同型で同等幅である上に、衿表のそれぞれ左右の表衿カバー出入り口
の２方向から挿入し、それぞれ２枚が背中心を越えて相対する衿肩まわりまでに至り、衿
肩まわりの部分ではバチ衿型形状２枚組衿芯の先入部分が重なり合った２重構造になり、
固定されるので、衿芯出入り口から下がって、出てくる事は有り得ないので安心である
【００３５】
また、従来の和装下着の衿に、本発明のバチ衿型形状２枚組衿芯を使用するのも問題ない。その場合は従来の衿芯同様に衿裏と半衿の隙間に、左右２方向からそれぞれ挿入して使
用でき、衿の表裏どちらでも可能である。
【００３６】
本発明のバチ衿型形状２枚組衿芯の形状は、それぞれ２枚の衿芯は同型であり、１枚の全
長は50cm〜64cmとし、より好ましいのは55cm〜60cmである。その先入部分は従来の衿芯と
同様に斜めに先細り、丸みを帯びていて挿入しやすい型としている。また後入部も、底辺
部の底辺が平らで、角に丸みを帯びた形状でもよいが、衿付け線側は体の胸部に位置する
ので、山形に丸みを帯びた形状が最適である。
【００３７】
そして、衿丈の三分の一である16cm〜20cmまでは衿幅の最小である背中心を通過できる最
大の幅である従来の衿芯同等の4cm〜4.5cmの均一幅であり、衿芯の後入底辺部に向かって
は、衿型と同形状のバチ衿型に広がっている。衿芯の底辺の幅11cは表地衿カバー出入り
口7dの寸法に相等し、バチ衿型に形成された地衿と地衿カバーとの隙間に挿入可能な最大
の幅である6cm〜7.7cmもしくは6.5cm〜7.0cmとなる。
【００３８】
又、衿芯全体の形状は、衿肩まわりに位置する部分は添いやすい様に少し湾曲しているが、
均一幅で形成されていて、そこから底辺部に向かって、なだらかな流線型を描いて広がっている。先入部分も後入部も挿入しやすく、又、挿入後の違和感がない様に、丸身を帯び
ていて衿と同型のゆるやかなバチ衿型形状となる。
【００３９】
本発明のバチ衿型形状２枚組衿芯の素材としては、合成樹脂薄板、セルロイド薄板、プラ
スチック薄板、その他の材質で、衿の形状に合わせて湾曲することが必要であるため、適
度の柔軟性を有する必要がある。柔軟性の程度は和装下着の着用時や脱ぎ着の際に不便と
ならない程度であれば良く、適度の腰と弾性を持つ従来の衿芯と同じ素材が良い。
【００４０】
以下、実施例により、本発明の和装下着の衿と衿芯について、詳細に説明する。
【実施例１】
【００４１】
和服を着用時に和服の衿元から衿山線上部分が見える和装下着には、次の様な物がある。
長襦袢、衿付肌襦袢、簡易和装長襦袢、付け衿等があるが、一般的な長襦袢の衿での実施
例を示す。
【００４２】
図1は和服１着用時の和服の衿元1aと、下着として着用している長襦袢3aの衿山線部2aで
あり、この２枚の衿合わせは顔の一番近くにあり注目され、又、着付けの要ともなる部分
である。長襦袢の衿山線2aは首の真横で和服衿山線部1aと同じ高さであり、前方の衿合
わせに向かって若干の巾2bがでている。この若干の巾2bは1.5cm〜2.5cmであり、左右対称の同じ幅で形成され、又、衿合わせの角度2cは65度〜90度が良く、より好もしくは75度〜85
度が一番美しいとされているが、年齢により角度は左右される。若い方が振り袖を着る場
合の衿合わせ角度2cは80度〜85度が良い、若干の幅2bは広くして、かわいらしさや初々しさを出し、年配の方の衿合わせ角度2bは鋭角になってゆき、若干の幅2bも狭くして落ち着きを出す。
【００４３】
図2は、和服1を着用時に和服の衿元1aから衿山線上部2aが見える長襦袢3において、半衿4
を掛ける前の衿5である。
【００４４】
図3は一体化した衿5を形成する用布の状態であり、地衿6衿用布と地衿カバー7用布を同素
材で用意し地衿6の用布丈は180cmであり、その中心6xに印をつけておき、又、地衿カバー
７の用布丈は90cmであり、その中心7xに印を付けておく。又、地衿6の用布幅は180cmであ
り地衿カバー7の用布幅は18.4cmとする。そして、地衿用布の中心6xと地衿カバー用布の
中心7xとを合わせて２枚重ねにして、表衿付線5bを形成し、又、衿幅を地衿6用布に印付
けて、その印で折り目を付けると、衿5の裏衿納め線5cとなる。その２つの線を合わせる
と衿5の衿山線5aが形成され、よって衿5の仮形状が出来上がる。
【００４５】
図4は衿5の断面図である。地衿6用布の幅と、地衿カバー7用布の幅の差である0.4cmは地
衿6と地衿カバー7の表裏どちらかに衿芯が挿入されるので、その差は衿芯の挿入容量とし
て考慮し、それぞれの衿山線上が0.2cmのズレ8となって形成される。
【００４６】
図5は地衿6の地衿表側6aと裏側6bに長手方向を2つ折りした帯状の地衿カバー7の地衿カバー表側7aと裏側7bを重ねて掛け、一体化した衿5である。衿山線5aと地衿カバー衿先出入り口７ｄとの接点7ｅで１cm逢着しておくと、入り口がしっかり固定されて衿芯が挿入しやすい。又、従来の衿芯を挿入する部分、地衿裏側6bと地衿カバー裏側7bとの２枚を衿山5aから衿山線5aに沿って背中心3xでの衿幅5dの幅である5cm〜5.56 cmの均一の幅で縫着し、その縫い目を区切り線5eとした。
【００４７】
図6のように、本発明の衿5に半衿4を従来通りに長手方向を２つ折りにして、掛けると地衿カバー衿先出入り口7dと、区切り線5e等は半衿4の内側に隠れるので外見上本発明の衿構造は見えない。そして、衿紐も逢着している部分が、見えないほうが、好ましいので、衿裏側に逢着する事が良い。長襦袢表身頃3aに表衿付線5bを縫着し、裏衿納め線5cを長襦袢裏身頃3bにくけ付ける事で、本発明の長襦袢の衿が出来上がる。又、裏衿納め線5cを納める前に、衿紐12を衿の縫い代と一緒に納めて、衿先5fを横切って衿山線５aまでをずっと逢着して、固定する。
【００４８】
図6のように、本発明の衿5に半衿4を従来通りに長手方向を２つ折りにして、掛けると地衿カバー衿先出入り口7dと、区切り線5e等は半衿4の内側に隠れるので外見上本発明の衿構造は見えない。
【００４９】
図７は,従来、長襦袢3の背中心部分の表衿付け線上5bに設けている衿紋抜き13aであり、
衿紋抜き13a上に逢着されている紐通し13bに衿紐12挿通させて、衿紋抜きをする。衿紋抜
き固定ループ15は背中心3xの表衿付け線上5bに設けられ、衿紋抜き13aの上に逢着されている
【００５０】
図8は長襦袢3を着用の後ろ姿である。衿紋抜き13aに衿紐12を挿通させ、衿紋を抜き、尚且つ衿紋抜き固定ループ15に衿紋抜き固定紐14を挿通させた後、左右の袖付け下3eを通過して体の前で結び、衿紋の抜き具合をより確実に保持する。
【００５１】
次に、上記発明を実施するための最良の形態の構成に基づく長襦袢の衿と衿芯の使用方法
について以下説明する。
【００５２】
図７は従来の衿芯10を衿５の裏側の地衿裏側6bと地衿カバー裏側7bとの隙間に挿入し、衿芯の中心10xが、背中心3xの部分に重なり、左右同じ長さに分担して使用する方法である。
【００５３】
そして、半衿4と衿5の裏側との間に衿芯10を挿入して、衿山線上部分5aからはずれて、シワやタルミを生じる従来の衿構造と違い、本発明の衿構造では地衿カバー裏側7bが従来の衿芯の幅と同等の区切り線5eによって衿芯が衿山線上部分5aに密着した状態で固定されるので衿の張りが継続されて着崩れることがない。
【００５４】
又、図8は本発明のバチ衿型２枚組衿芯11を本発明の衿5の地衿表側6aと地衿カバー表側7a
との隙間に挿入する場合、左右の地衿カバー衿出入り口7dの２方向から挿入し、それぞれ
の衿芯先入部分11aが背中心3xを通過して、相対する衿肩まわり3yまでに至り、二枚重ね
の二重構造となる。衿底辺部11bは衿型と同型であり、つまりは地衿表側6aと地衿カバー
表側7aとの隙間の形状が同じなので、より確実に固定され、衿5の衿山線上5aのみならず、衿5全体が適度な堅さを有し張りのある、着崩れにくい長襦袢の衿となる。
【００５５】
そして、この場合も半衿4の掛け方や素材にも全く関係なく美しい衿5が継続出来る。
【００５６】
又、本発明のバチ衿型２枚組衿芯11は従来の衿構造の衿表部分と半衿4との隙間に挿入し
て使用する事も可能であるので、何の差し障りもなく対応でき、便利である。
【図面の簡単な説明】
【００５７】
【図１】和服着用時の和服の衿と、長襦袢の衿の状態である。
【図２】長襦袢の従来の衿と、半衿の状態である。
【図３】本発明の衿構造を作る為に地衿用布と地衿カバー用布とを前もって一体化させておき、長襦袢の身頃に縫いつける前に衿の出来上がりの仮形状で折り目をつけた図である。
【図４】本発明の衿の衿構造の断面図である。
【図５】本発明の衿であり、地衿と地衿カバーが一体化した衿を形成し、地衿カバー裏に衿山に沿って区切り線が設けられている。
【図６】本発明の衿構造の衿に、半衿を掛けた図である。
【図７】本発明の背面図である。
【図８】和装下着を着用の後ろ姿であり、本発明の二重の衿紋抜き状態である。
【図９】従来の衿芯を挿入する部分である地衿裏と地衿カバー裏側に区切り線を設けた、本発明の衿構造に従来の衿芯を挿入した図である。
【図１０】本発明の衿構造である地衿表側と地衿カバー表側との隙間に、本発明のバチ衿型２枚組の衿芯を挿入した図である。
【図１１】本発明の衿構造に本発明のバチ衿型２枚組の衿芯を挿入した長襦袢を着用した姿である。
【図１２】従来の衿芯の形状図である。
【図１３】本発明のバチ衿型２枚組の衿芯の形状図である。
【符号の説明】
【００５８】
1    和服
1ａ  和服の衿元
2ａ  長襦袢の衿山線
2ｂ  若干の巾
2ｃ  衿合わせ角度
3    長襦袢
3ａ  長襦袢表身頃
3ｂ  長襦袢裏身頃
3c   長襦袢袖付け
3d   長襦袢袖
3e   長襦袢袖付け下      
3y   長襦袢衿肩まわり
3x   長襦袢背中心
4    半衿
5    衿
5a   衿山線上部分
5b   表衿付線
5c   裏衿納め線
5d   長襦袢背中心の衿幅
5e   区切り線
5f   衿先布裏側
5g   衿先布表側     
6    地衿
6a   地衿表側
6b   地衿裏側
6x   地衿用布の中心
7    地衿カバー
7a    地衿カバー表側
7b    地衿カバー裏側
7d    地衿カバー衿先出入り口
7e    接点
7x    地衿カバー用布の中心
8     ズレ
10    従来の衿芯
10a   従来の衿芯先入部分
11    バチ衿型２枚組衿芯
11a   バチ衿型２枚組の衿芯先入部分
11b   バチ衿型２枚組衿芯の衿底辺部
11c   バチ衿型２枚組衿芯の底辺の幅
12    衿紐
13a   衿紋抜き
13b   紐通し
14    衿紋抜き固定紐
15    衿紋抜き固定ループ
【図１】
2010106417.tif 000003
【図２】
2010106417.tif 000004
【図３】
2010106417.tif 000005
【図４】
2010106417.tif 000006
【図５】
2010106417.tif 000007
【図６】
2010106417.tif 000008
【図７】
2010106417.tif 000009
【図８】
2010106417.tif 000010
【図９】
2010106417.tif 000011
【図１０】
2010106417.tif 000012
【図１１】
2010106417.tif 000013
【図１２】
2010106417.tif 000014
【図１３】
2010106417.tif 000015
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
和服を着用時に、和服の衿元から衿山線上部分が見える和装下着において、その地衿と半衿の隙間に挿入して使用する後入れ用の衿芯であって、和装下着の衿型であるバチ衿型形状で同型の2枚組からなり、左右２方向から挿入して使用し、それぞれの先入部分が衿の背中心を通過し、相対する衿肩回りで重なり合う2重構造となることを特徴とするバチ衿型形状の衿芯。
【請求項２】
前記バチ衿型形状の衿芯において、一方の幅が和装下着の背中心の衿幅に挿入することができる背中心の衿幅であり、もう一方側は地衿と半衿の隙間に挿入することができる最大の幅であることを特徴とするバチ衿型形状の衿芯。
【手続補正２】
【補正対象書類名】明細書
【補正対象項目名】全文
【補正方法】変更
【補正の内容】
【発明の詳細な説明】
【技術分野】
【０００１】
本発明は、和服を着用時に、和服の衿元から衿山線上部分が見える和装下着において、その地衿と半襟の隙間に挿入して使用する後入れ用の衿芯に関する。
【背景技術】
【０００２】
従来の和装下着の衿は、和装下着の衿の長手方向に２つ折りした半衿を表裏両側に掛け、
着用時に衿の裏側と半衿との隙間に堅目のプラスチック製等の一本の長くて均一の幅の細い衿芯を挿入し、衿を補強する事により和装下着の衿山線上部分に張りをもたせ、美しい衿元を継続させるように形成されている。又、背面には衿の背中心部分から衿紋抜き布が逢着され、衿紋が抜かれた状態を保持するように形成されている。
【０００３】
しかしながら、和装下着の衿は背中心から長手方向の衿先に向かって、衿幅が広くなる形状のバチ衿と称される衿型であるから、衿肩まわり間は衿芯と衿幅がほぼ同寸法なので挿入した衿芯は衿の衿山線上部分に密着するが、衿に掛ける半衿は、おしゃれだけでなく衿の汚れ防止の目的も有し、掛けてあるので、衿全面を最大限に多い隠す形式をとってある。従って半衿の幅は和装下着の衿型であるバチ衿型形状に、衿先に向かって広くなっており、半衿の中で均一巾の従来の衿芯が幅移動をする遊びがあるので衿山線上部分からの衿芯のずれが生じ、張りのある美しい下着の衿が保持できず、柔らかくたるんでシワが生じ、着崩れるという問題があった。
【０００４】
その上、従来の衿芯は衿に掛けた半衿と衿裏側との隙間に一方の衿先方向から挿入し、背中心から左右対称の長さに固定されるのだが、衿の幅の一番狭い背中心を通過する為に、衿芯幅は衿の背中心に挿入出来る背中心の衿幅で均一である。このことが、衿芯が衿の衿山線上部分からずれる最大の要因となっている。
【０００５】
又、衿紋抜きの状態も時間の経過と共に、日常動作による着崩れが生じ、従来の長襦袢の
背中心部分に設けられている衿紋抜き布を頻繁に下方に引き下げて、衿紋抜きを抜き直す
という手間をかけなければ、衿紋は美しく継続できない。このことが着物は難しくて、着にくいと思われる最大の原因となっている。  
【０００６】
又、和服の構造は洋服と違い体の線や動きを余り考慮してないので、その大部分において
直線で縫い、平面で構成されており、日常動作には適してないので着崩れ易い。そして、
和装下着においては着用中、頻繁に体の前の衿合わせと、後ろの衿紋抜きの修正を繰り返
すのだが、上に着物を重ね、さらに上から帯を巻きつけ固定して、土台として下に着ている和装下着の着崩れを直すことは不可能に等しい。しかも和装で着崩れが一番起こりやすく、目立つのも衿合わせや、衿紋抜き等の衿周辺である。
【０００７】
このような問題を解決する為に、和装姿の土台ともなる和装下着の衿を張りのある美しい
衿元にする為や、確実な衿合わせが継続できて、衿紋抜きを保持する後入れ用の衿芯の考案がなされてきた。例えば特許文献１の衿がある。
【特許文献１】実開昭51−138221        衿芯
【０００８】
特許文献には、衿芯自体の強度を補強し、和装下着の衿を美しくする衿芯が開示されている。
【発明の開示】
【発明が解決しようとする課題】
【０００９】
しかしながら、特許文献1は衿芯の衿肩まわりを補強し、衿山線上に密着する形態を取っているが、衿幅に比べて背中心相当の衿芯幅では、やはり衿山線上からずれてシワやタルミを生じてしまう。
【００１０】
本発明は前記のような課題に鑑み、その課題を解決すべく創案されたものであって、その
目的とするところは和服を着用時に和服の衿元からの衿山線上部分が見える和装下着において、その衿に挿入した衿芯が時間経過や日常動作によって衿山線上から幅移動してズレを生じず、固定されることにより補強でき、衿山線上部分に適度な堅さを有して、シワやタルミのない美しい張りのある形状が維持でき、又、衿紋抜きを確実に保持する為に従来の衿紋抜き部分を補強することが出来るバチ衿型形状の2枚組みの衿芯を新たに開発し、和装下着の衿の美しい形状が、継続できる事を目的としている。
【課題を解決するための手段】
【００１１】
本発明は、和服を着用時、和服の衿元から衿山線上部分が見える和装下着の衿の地衿と半衿の隙間に左右衿先の2方向から挿入して使用し、それぞれの先入部分が背中心を通過して、衿肩回り付近で重なり合うことで衿芯自体を補強する事になり衿紋抜きが維持できる、又、和装下着の衿型であるバチ衿型形状であるので、地衿と半衿の隙間幅一杯に衿芯が挿入する形態になり、衿山線上部分からの巾移動がないので、シワやタルミを生じず、張りのある美しい衿山線上部分を継続して形成でき、又衿全体に適度な硬さを保持しているので、美しい衿合わせの維持が可能になり、前記課題を解決したものである。
【００１２】
以上の説明から明らかなように、本発明にあっては次に上げるような効果が得られる。
【００１３】
和服を着用時に和服の衿元から衿山線上部分が見える和装下着において、着用時に地衿と半衿の隙間に左右の衿先方向からそれぞれ挿入すると、和装下着と同形状のバチ衿型であるので、衿芯が衿の衿山線上部分に密着して、幅移動を防ぎ固定するので、シワやタルミが生じないという効果がある。故に衿の衿山線上部分は美しい張りと適度な硬さを有しており美しい衿を継続できる。
【００１４】
また、従来の半衿の掛け方は衿の裏側と半衿の隙間に均一巾の衿芯を入れる為に、衿芯が衿山線上から巾移動しないように衿の裏側は衿芯と同等幅で半衿を狭く設定する難しい方法で逢着したり、又、出来上がった半衿の上から衿芯幅で縫い押さえるという醜い方法をとっていたが、本発明のバチ衿型形状衿芯を使用する場合は、半衿の逢着形状は関係なく、和装下着の衿型に沿って逢着すれば良いので簡単である。
また、従来の半衿の掛け方は衿の裏側と半衿の隙間に均一巾の衿芯を入れる為に、衿芯が衿山線上から巾移動しないように衿の裏側は衿芯と同等幅で半衿を狭く設定する難しい方法で逢着したり、又、出来上がった半衿の上から衿芯幅で縫い押さえるという醜い方法をとっていたが、本発明のバチ衿型形状衿芯を使用する場合は、半衿の逢着形状は関係なく、和装下着の衿型に沿って逢着すれば良いので簡単である。
【００１５】
しかも毎回洗濯の度に半衿を縫いつけるのは熟練したプロの和裁士ではなく、一般の人が
悪戦苦闘しながら縫うのだが、半衿付けの手間と出来映えを憂慮しなくても地衿に添って逢着すれば、地衿と半衿の隙間に確実に固定されるので、半衿の生地や素材に拘らず好みの半衿を使用できるので手軽に新しいおしゃれを楽しむ事が出来るという効果がある。
【００１６】
その上、従来の衿芯は背中心から左右に同寸法ずつに分割して挿入されるので半衿丈寸法に対して短くて適応できないが、本発明の衿芯を使用すると、それぞれの左右2方向から半衿丈の一杯に挿入される様に調節が可能であり、美しい衿合わせが確実になり、継続性を持って出来るので、簡単である。つまり本発明の和装下着の衿は首のくぼみ上で交差させ、交差角度が一番美しいとされる左右対称の65度〜90度に一度合わせると、着付け時はもちろん着用中に崩れることがない。和装下着の衿は和装着用時に着付けの土台ともなる部分であり顔の一番近くにあるので、着姿の要ともなる部分であるから、着付ける時には衿合わせに慎重になり、どうしても着付けに多大な時間を要していた。しかし、この衿であれば衿全体に適度な張りがあり、衿合わせが簡単な上に、美しい衿合わせの形が確実に保持出来るので、従来の半分の時間で着用が可能となり、大幅に着付け時間を短縮する効果がある。
【００１７】
又、本発明の衿芯は、和装下着の衿と同型のバチ衿型形状の2枚組みの衿芯であるので、和装下着の衿に掛けてある半衿をそのまま利用して衿と半衿との隙間に挿入できる。したがって、すでに何度も着用済みで着古し、衿山線上部分が緩み、張りが無くなった和装下着でも、本明の衿芯を使用するだけで新品同様の美しい張りのある和装下着の衿元を作る事が出来る効果がある。
【００１８】
さらに、本発明の衿芯を左右の衿先から挿入すると、半衿と地衿との隙間がバチ衿型形状であるので、その隙間巾一杯に衿芯全体が装着され、従来の衿と半衿の隙間に使用する時と比べてゆるみや遊びがないので、衿の衿山線のみならず、衿全体が適度な堅さを有していて美しい衿型を継続できる。  
【００１９】
又、和服着用時には衿元や衿紋抜きの着崩れを直す度に、和装下着の衿の背中心に有している衿紋抜き布を頻繁に引き下げて、衿紋抜きを保持しなければならない。その為に衿芯の背中心や衿肩まわりには付加がかかるので、従来の衿芯が折れ曲がり歪な状態になっていた。そこで従来の衿芯にも衿肩まわりを二重組織で補強した衿芯が考案されているが、本発明のバチ衿型形状の2枚組の衿芯はその構造上、それぞれの先入部分が背中心を通過した後、衿肩回り付近まで2枚が重なるという構造上、無理なく衿肩まわりを補強できる効果がある。
【００２０】
つまり、本発明のバチ衿型形状の2枚組み衿芯は早くて簡単に、着崩れにくい和装下着の着付けを提供出来る。
【発明を実施するための最良の形態】
【００２１】
本発明の衿芯とは、和服を着用時に和服の衿元から衿山線上部分の見える和装下着において、着用時に地衿と半衿の隙間に挿入する後入れ用衿芯とする。
【００２２】
本発明のバチ衿型形状の2枚組衿芯を地衿と半衿の隙間に挿入した時に、バチ衿型2枚組衿芯は衿と同型で同等幅である上に、左右の衿先2方向から挿入し、それぞれ2枚が背中心3xを越えて、相対する衿肩まわりまでに至り、衿肩回りの部分ではバチ衿型形状の2枚組み衿芯先入部分が重なりあった2重構造になり、和装下着の衿丈に応じて固定されるので、衿芯挿入口4aや4bから下がって、出てくる事は有り得ないので安心である
【００２３】
又、従来の衿芯同様に、地衿と半衿の隙間に、左右2方向からそれぞれ挿入して使用でき、衿の表裏どちらでも可能である。
【００２４】
本発明のバチ衿型形状の2枚組衿芯の形状は、それぞれ2枚の衿芯は同型であり、１枚の全長は50cm〜65cmとし、より好ましいのは55cm〜60cmである。その先入部分は従来の衿芯と同様に斜めに先細り、丸みを帯びていて挿入しやすい型としている。また後入部も、底辺部の底辺が平らで、角に丸みを帯びた形状でもよいが、衿付け線側は体の胸部に位置するので、山形に丸みを帯びた形状が最適である。
【００２５】
そして、衿丈の約三分の一である16cm〜24cmまでは衿幅の最小である背中心を通過できる最大の幅である従来の衿芯同等の3・8cm〜4.5cmの均一幅であり、衿芯の後入底辺部に向かっては、衿型と同形状のバチ衿型に広がっている。衿芯の底辺の幅7fは半衿の衿先の衿芯挿入部分4cの寸法に相等し、バチ衿型に形成された地衿と地衿カバーとの隙間に挿入可能な最大の幅である6cm〜7.7cmもしくは6.5cm〜7.0cmとなる。
【００２６】
又、衿芯全体の形状は、衿肩まわりに位置する部分は添いやすい様に少し湾曲しているが、
均一幅で形成されていて、そこから底辺部に向かって、なだらかな流線型を描いて広がっている。先入部分も後入部も挿入しやすく、又、挿入後の違和感がない様に、丸身を帯び
ていて衿と同型のゆるやかなバチ衿型形状となる。
【００２７】
本発明のバチ衿型形状の２枚組衿芯の素材としては、合成樹脂薄板、セルロイド薄板、プラスチック薄板、その他の材質で、衿の形状に合わせて湾曲することが必要であるため、適度の柔軟性を有する必要がある。柔軟性の程度は和装下着の着用時や脱ぎ着の際に不便とならない程度であれば良く、適度の腰と弾性を持つ従来の衿芯と同じ素材が良い。
【００２８】
以下、実施例により、本発明の後入れ用のバチ衿型形状の衿芯について、詳細に説明する。
【実施例１】
【００２９】
和服を着用時に和服の衿元から衿山線上部分が見える和装下着には、次の様な物がある。
長襦袢、衿付肌襦袢、簡易和装長襦袢、付け衿等があるが、一般的な長襦袢の衿での実施
例を示す。
【００３０】
図1は和服１着用時の和服の衿元1aと、下着として着用している長襦袢3の衿山線部2aであり、この2枚の衿合わせは顔の一番近くにあり注目され、又、着付けの要ともなる部分である。長襦袢の衿山線2aは首の真横で和服衿山線部1aと同じ高さであり、前方の衿合わせに向かって若干の巾2bがでている。この若干の巾2bは1.5cm〜2.5cmであり、左右対称の同じ幅で形成され、又、衿合わせの角度2cは65度〜90度が良く、より好もしくは75度〜85度が一番美しいとされているが、年齢により角度は左右される。若い方が振り袖を着る場合の衿合わせ角度2cは80度〜85度が良い、若干の幅2bは広くして、かわいらしさや初々しさを出し、年配の方の衿合わせ角度2bは鋭角になってゆき、若干の幅2bも狭くして落ち着きを出す。
【００３１】
図2は従来の衿芯6を衿5の裏側と半衿4との隙間に挿入し、衿芯の中心6xが背中心3xの部分に重なり、左右同じ長さに分担して使用する方法である。しかし衿肩まわり部分は衿幅6xと背中心幅3xがほぼ同寸法なので衿山線上2aに密着しているが、衿先方向に衿幅がバチ衿状に広がっていくと衿芯が幅移動して不安定にズレを生じてくる。
【００３２】
又、図3は本発明のバチ衿型2枚組の衿芯7を地衿と半衿の隙間に挿入する場合、左右の衿芯挿入口の2方向から挿入し、それぞれの衿芯先入部分7eが背中心3xを通過して、相対する衿肩回りまでに至り、二枚重ねの二重構造となる。衿底辺部は衿型と同形状であり、つまりは地衿と半衿との隙間の形状が同じなので、より確実に固定され、衿5の衿山線上2aのみならず、衿5全体が適度な硬さを有し張りのある、着崩れにくい和装下着の衿となる。
【００３３】
そして、この場合も半衿4の掛け方や素材にも全く関係なく美しい衿5が継続できる。
【００３４】
又、本発明のバチ衿型2枚組衿芯7は従来の衿構造の衿表部分と半衿との隙間に挿入して使用する事も可能であるので、何の差しさわりもなく対応でき、便利である。
【図面の簡単な説明】
【００３５】
【図１】和服着用時の和服の衿と、長襦袢の衿の状態である。
【図２】和装下着の地衿と半衿の隙間に、従来の衿芯を挿入した状態である。
【図３】図2同様に、和装下着の地衿と半衿の隙間に、本発明のバチ衿型形状の2枚組み衿芯を挿入した状態である                                            
【図４】本発明の衿芯を挿入した和装下着を着用した姿である。
【図５】従来の衿芯の形状図である。
【図６】本発明のバチ衿型形状の2枚組みの衿芯である。
【符号の説明】
【００３６】
1    和服
1ａ  和服の衿元
2ａ  長襦袢の衿山線
2ｂ  若干の巾
2ｃ  衿合わせ角度
3    長襦袢    
3x   長襦袢背中心
4    半衿
4a  半衿の左衿芯挿入口」
4b  半衿の右衿芯挿入口
4c  半衿の衿先幅
5  和装下着の地衿 
6  従来の衿芯
6x    従来の衿芯の均一幅
7    本発明のバチ衿型形状の2枚組衿芯
【手続補正４】
【補正対象書類名】図面
【補正対象項目名】全図
【補正方法】変更
【補正の内容】
【図１】
2010106417.tif 000016
【図２】
2010106417.tif 000017
【図３】
2010106417.tif 000018
【図４】
2010106417.tif 000019
【図５】
2010106417.tif 000020
【図６】
2010106417.tif 000021